(57)【特許請求の範囲】
【請求項１】
薬物または医療処置剤ディスペンサであって、ポンプに一端で接続される少なくとも１つのチューブを含むフープを備え、前記ポンプは、処置剤の交換可能な容器に接続され、少なくとも１つのチューブは、人または動物の皮膚に向けてスプレー形態で処置剤を施す１つ以上の開口を有し、開口は、内向きであり、フープの内側の周りに配置され、開口から出てくる処置剤をフープ内に置かれる人または動物の身体部分に向けるようになっている、薬物または医療処置剤ディスペンサ。
【請求項２】
請求項１に記載の薬物または医療処置剤ディスペンサであって、フープに取り付けられた一対のチューブを備え、ポンプに接続されていないチューブの端部は、閉じられている、薬物または医療処置剤ディスペンサ。
【請求項３】
請求項２に記載の薬物または医療処置剤ディスペンサであって、チューブの一方は、フープの半分に置かれ、チューブの他方は、フープの残りの半分に置かれる、薬物または医療処置剤ディスペンサ。
【請求項４】
請求項２または３に記載の薬物または医療処置剤ディスペンサであって、チューブは、フープの溝にはめ込まれる、薬物または医療処置剤ディスペンサ。
【請求項５】
請求項１に記載の薬物または医療処置剤ディスペンサであって、２つのアームとして形成されているフープを備え、アームは、近位端および遠位端をそれぞれ有し、アームの近位端は、ピボットに取り付けられ、チューブの一対は、それぞれのアームに１つが取り付けられ、チューブは、アームの近位端でポンプの出口に接続される、薬物または医療処置剤ディスペンサ。
【請求項６】
請求項５に記載の薬物または医療処置剤ディスペンサであって、チューブの遠位端は、ノズルでそれぞれ終端し、それぞれのノズルは、処置剤をノズルの間に置かれた身体部分に向ける、薬物または医療処置剤ディスペンサ。
【請求項７】
請求項５または６に記載の薬物または医療処置剤ディスペンサであって、ばねは、アームの遠位端が突き当たるように付勢しようとする、薬物または医療処置剤ディスペンサ。
【請求項８】
請求項１〜７のいずれかに記載の薬物または医療処置剤ディスペンサであって、フープは基部に取り付けられ、前記基部は、ポンプと、容器への接続と、を含む、薬物または医療処置剤ディスペンサ。
【請求項９】
請求項８に記載の薬物または医療処置剤ディスペンサであって、ポンプが電動であり、ポンプは、処置の回数を制御するプログラム可能なチップに接続される、薬物または医療処置剤ディスペンサ。
【発明の詳細な説明】
【技術分野】
【０００１】
本発明は、人に薬剤および他の医療処置剤の投与量を投与するディスペンサに関する。本来は人のために考案されたが、それは、動物にも適用でき、特に家畜を治療するのに効果的である。
【背景技術】
【０００２】
薬物および他の医療処置剤の提供は、注射、錠剤、および鼻腔用スプレーに通常はよるが、最近になって、経皮貼布が、薬物または他の関連した処置剤を提供するのに使用されている。この明細書では、「処置」は、その後に例えば有害ガスにさらされる場合の反応のリスクを最小限にするための人の前処置を含む。
【発明の概要】
【発明が解決しようとする課題】
【０００３】
しかしながら、薬物またはある状況下における他の関連した処置剤の提供の正確さを確保する上での問題、またはパッチでの経皮的処置の場合に、処置が効果的である程度に薬物または他の処置剤が長い時間皮膚バリアを通過できるほど十分にパッチが付着し続けることを確実にする上での問題、がある。
【０００４】
わずかな薬剤がスプレー式製剤で入手できるが、これらは、適用にかなりの巧妙さを必要とし、ユーザーの正確さ、対象からのスプレーの距離、およびノズルが押される回数および力、の変動により、かなり不統一な投与量を与える。
【課題を解決するための手段】
【０００５】
本発明によると、薬物または医療処置剤ディスペンサは、人または動物の皮膚の方へスプレー形態で処置を施す複数の開口を有するチューブと、薬物または他の医療処置剤を含む容器と、を備える。
【０００６】
一実施形態では、薬物または医療処置剤ディスペンサは、フープに取り付けられた１つ以上のチューブを備え、複数の開口を有するチューブは、フープの内側の周りに配置され、チューブから出てくる薬をフープ内に置かれる身体部分に向ける。
【０００７】
そのような実施形態の一配置では、薬物または医療処置剤ディスペンサは、一対のチューブを有し、チューブの一対の一方は、フープの半分に置かれ、その一対の他方は、フープの残りの半分に置かれる。
【０００８】
そのような場合、チューブは、端部の１つで閉じられてよい。チューブは、フープの溝にはめ込まれてよい。
【０００９】
別の実施形態では、フープは、２つのアームとして形成され、アームは、近位端および遠位端をそれぞれ有し、アームの近位端は、ピボットに取り付けられ、チューブの一対は、それぞれのアームに１つが取り付けられている。チューブは、アームの近位端でポンプの出口に接続され、遠位端のそれぞれでノズルで終端し、ノズルは、処置剤をノズルの間に置かれた身体部分に向かわせる。
【００１０】
通常、しかし本質的ではなく、ばねは、アームの遠位端が突き当たるように付勢しようとする。
【００１１】
ノズルに加えて、チューブは、複数の開口を有してよく、複数の開口は、フープの内側の周りに配置され、チューブから出てくる処置剤をフープ内に置かれる身体部分に向かわせる。
【００１２】
開口は、平穴、セルフシール可能なスリットまたはノズルを備えてよい。
【００１３】
処置剤は、処置剤を含む容器に直接的にまたは間接的に接続されたポンプからチューブに送り出される。ポンプは、手動操作式または電動式であってよい。好都合には、フープは基部に取り付けられ、ポンプは基部にある。加えて、ポンプが電動の場合、プログラム可能なチップが回路に組み込まれてよく、処置の回数を制御し、処置の他のパラメータを測定する。
【００１４】
現場使用ディスペンサでは、基部はハンドヘルドであるが、そうでなければ、それは通常テーブル取り付けである。現場使用では、ディスペンサは、身体部分を通過する棒の形であってよい。
【００１５】
本発明により、一例では病院または家庭用装置を、別の例では救急車または戦場用装置を、作ることができ、それは、触れる必要なく、創傷を通過でき、消毒剤、創傷密封材等をスプレーでつけ、従って交差感染のリスクを大いに軽減または除去する。
【００１６】
実質的に上記の薬物または医療処置剤ディスペンサは、添付図面を参照して記載された。
【００１７】
薬物または他の医療処置剤の容器は、普通は薬物または他の医療処置剤を含む交換可能なカートリッジである。関節炎薬、鎮痛剤、抗炎症薬、創傷密封材、消毒剤は、この発明で投与される典型的な処置剤であり得る。１つ以上の容器が、患者に合った一連の処置剤を含んで提供されてよく、容器は、処置の進展に応じて選択的に開閉される。
【００１８】
交換可能カートリッジを伴う一実施形態では、カートリッジは、処置に特有のコードで符号化される。コーディングは、ディスペンサが使用し、処置の回数および／または長さおよび／またはチューブの中の処置剤の圧力を制御する。
【００１９】
本発明がさらに十分に理解されるように、本発明の例が添付図面に示される。
【図面の簡単な説明】
【００２０】
【図１】本発明による簡単なディスペンサの部分断面の概略側面図を示す。
【図２Ａ】本発明によるポンピングディスペンサの透視図を示す。
【図２Ｂ】本発明によるポンピングディスペンサの透視図を示す。
【図２Ｃ】図２Ａの線Ａ‐Ａ’上の断面である。
【図２Ｄ】図２Ａの線Ｂ‐Ｂ’上の部分的断面の図２Ａおよび２Ｂのディスペンサの概略図である。
【図３】図２Ｄと似ているが、図２Ａ‐２Ｄに示されるポンピングディスペンサのさらなる発展を示す。
【発明を実施するための形態】
【００２１】
図１では、薬物または医療処置剤ディスペンサは、薬物または他の医療処置剤を含むカートリッジ５に連結され、人の皮膚の方へ向けられ得るスプレーノズル４の形をした内部を向く複数の開口を有する連続中空フープ２を備える。ノズル４から出てくる噴霧は、フープ内に置かれる全てに落ちる。実際には、これは、指、つま先、腕または脚、または人もしくは動物の体の一部の他の四肢である。
【００２２】
フープ２の直径は、治療部位によって決定される。
【００２３】
この場合のフープ２は、カートリッジ５に接続されるチューブ６への接合部３を含む連続ループである。
【００２４】
スプレーノズル４は、選択的に閉じられるまたは覆われることができ、特定のスプレーパターンが与えられるようにする。
【００２５】
カートリッジ５は、接合部３の外側に螺合するハンドル７内に取り付けられる。チューブ６と反対側のカートリッジ５の端部は、カートリッジ５に封止されるキャップ８を有し、カートリッジがハンドル７に螺合できるようにする雄ねじを有する。チューブ６は、Ｏリングシール１２で接合部３に対して封止される。
【００２６】
チューブ６内のプランジャー１０は、ロッド１１に接続され、ロッド１１は、カートリッジ５を通ってキャップ８内のアクチュエータ１４まで延びる。容器５の中の薬物または他の処置剤が、推進させるものからの圧力を受けて、アクチュエータ１４がロッド１１を接合部３から離すとき、プランジャー１０は容器の内容物を、フープ２におよび従ってノズル４を介してフープ２内の全てに放出するようになっている。
【００２７】
カートリッジ５は、交換可能である。
【００２８】
一配置では、カートリッジは、縦方向に区画でき、異なるコンパートメントの異なる処置剤を含み、それぞれそれ自体のプランジャー１０および制御ロッド１１を含み、接合部３に対してコンパートメントを開閉する。
【００２９】
代替的に複数の接合部３を設けることができ、それぞれカートリッジに別々に連結され、それぞれのカートリッジは、別の処置剤を含んでいる。
【００３０】
図１に示されているディスペンサは、ハンドヘルドであってよい、またはスタンドに取り付けられてよい。
【００３１】
図２では、本発明によるディスペンサ２０は、ステンレス鋼、プラスチックまたは同様の医療上適した材料から成る円形フープ２１を備える。フープは、内溝２２を有し、その中にシリコンゴムまたは同様の医療上適した材料で作られているチューブ２３が配置される。図２に見られるように、分かれたチューブ２３が、フープ２１の左側およびフープ２１の右側の内側の周りに延びる。チューブ２３のそれぞれの一端２４は、中空基部２６に取り付けられたマニホールド２５に連結され、チューブの他端２７は、閉じられる。チューブは、セルフシール性スリット２８の形で複数の開口を有し、そこから加圧されたチューブの中の流体がスプレー２９として放出される。フープ自体は、基部２６に取り付けられる。チューブ２３は、プレート３０によってフープ２１の上部および下部で適当な位置に保持される。マニホールド２５は、基部２６に取り付けられている電気ポンプ３１の出口３３に接続される。特定の患者の処置に関係する薬剤を含むカートリッジ３２は、基部２６の上部を通して取り付けられ、その出口ノズルは、カートリッジ台３５上の直立ニップル３４に接続されている。基部２６の底は、基部プレート３６によって閉じられる。カートリッジ台３５は、基部プレート３６に取り付けられる。流体接続３７は、カートリッジ台３５から直立もしているポンプコネクタ３８まで、カートリッジ台で提供される。シリコンゴムまたは同様の医療上適した材料から成る短いチューブ３９は、ポンプコネクタ３８をポンプ入口４０に接続する。
【００３２】
カートリッジ３２は、交換可能であり、２以上の異なる処置を提供するように分割されてよい。
【００３３】
ポンプは、スイッチ４２を介して電池またはメインソース４１から動力を引き出す。スイッチ４２は、基部プレートの開口４３を介して作動可能である。しかしながら、ある配置でのスイッチは、より都合よく基部の側に置かれてよい。選択的に、開口４３はフレキシブルゴムカバーを収容してよく、フレキシブルゴムカバーは、スイッチ４２が動作できるようにするが、ほこりや水分を基部の内側に入らせないようにする。選択的に、プログラム可能なチップ４４が、スイッチ４２と関連して含まれてよく、チップは、モーターがスイッチを入れられる期間を制限するように、および先の動作の後にプリセット期間ポンプ３１の動作を阻むように、プログラムされてよい。プログラム可能なチップは、ポンプ圧（および従ってセルフシール性スリット２８を通って放出されるスプレーの密度および広がり）を変化させるようにプログラムされてもよい。
【００３４】
動作時に、患者は、身体の一部（例えば、腕、手首、手、脚、足首、足等）をフープ２１内に置く。スイッチを入れることによってまたは他の適切な起動装置の動作によって、ポンプを起動するとき、カートリッジ３２に含まれている処置剤は、ポンプ３１によってフープ２１の周りのチューブ２３のそれぞれに送り出される。チューブ２３のポンプ圧は、液体処置剤を、セルフシール性スリット２８を介してスプレー２６として治療される患者の身体部分に押し出す。
【００３５】
人間への適用のために開発されたが、原理的に器具が同様に他の動物を治療するのに使用されるべきでない理由はない。
【００３６】
図１および２Ａ‐２Ｄの装置は、治療部位の大きさがフープ２または２１の直径によって制限されるという点において、制限がある。
【００３７】
図３の装置は、この制約を克服する。ポンプ配置は、図２と同じであり、再び記載されない。図３では、フープ２１は、２つの半円形アーム４７および４８から形成され、２つの半円形アーム４７および４８は、アームの下端（近位端４６）で共にピボット４５で旋回軸の上に置かれ、閉位置でそれらのアームの他端（遠位端４９）で突き当たり、基部はスロット５０を有し、アーム４７および４８が開閉できるようにする。選択的に、アームを遠位端４９で共に閉じるように付勢する、ピボット４５と関連するばね５１がある。アーム４７および４８が突き当たるチューブ２３の端部２７は、この場合ノズル５２で終端する。選択的に、この構成ではチューブ２３のセルフシール性スリット２８は省かれる。
【００３８】
図３の配置では、アーム４７および４８は開かれ、身体部分がそれらの遠位端４９の間に挿入される。身体部分は、大腿部、胸部または肩などのように、図２のフープ２１に挿入され得るよりも実質的に大きくてよい。ポンプ３１がオンで、処置剤を含んでいるカートリッジ３２がカートリッジ台３５に置かれ、処置剤は、ノズル５２を通じて関係する身体部分にスプレーされる。ポンプ３１の圧力が変化する場合、ノズル５２から出てくる噴霧の密度、広がりおよび幅を変えることができる。
【００３９】
当業者は、この発明用のポンプおよび／またはカートリッジ台についての可能な代替的構成を容易に特定できる。非常に簡単な代替的な一構成では、フープよりむしろ、ディスペンサは、単純な直線状またはフック付きの棒を備え、ノズルが患者の方へ向けられている。フープまたはアームは、円形または半円形である必要はなく、正方形、楕円形または他の適切な形状であってよい。
【００４０】
プログラム可能なチップ４４があることにより、より高機能な監視は、処置からの時間の経過だけでなく、例えば処置の回数の記録も含むことができ、医療専門家は、患者が定期的に処置を行っているかどうかをモニターでき、それは、例えば前もってプログラムされた処置がなされなかった場合に、さらにリマインダーまたはアラームを作動できる。アラームは、患者にローカルであってよい、または管理センター、医療センターまたは病院でリモートであってよい。チップは、異なる患者に異なる量の処置剤を投与するように、または異なる患者用の異なる治療レジームを実施するように、プログラムでき、患者は、異なるスイッチ、または入力コードまたは他の認識システムの使用によって識別される。ＩＲランプおよび検出器、他の運動センサーが、組み込まれてよく、身体部分がフープに、または図３のアーム４７および４８の遠位端間に、存在しなかった限り、そのシステムが作動しないようにする。
【００４１】
図では、電池４１が使用され、これは、Ｌｉイオン電池などの充電池の長寿命の従来型バッテリーであってよい、または電池は、充電池バックアップを有して、変圧器によって安全な電圧まで降圧された主電源に取って代わられてよい。多くの家庭用用途については、これは、電池が放電する結果としての電力損失を回避するので、好ましい選択肢であり得る。現地作業については、これは実用的でなく、バッテリー電力が使用される。
【００４２】
記載される薬物または医療処置剤には、身体部分の検出による自動投与システムが設けられてもよい。さらに、または代替として、そのような薬物または医療処置剤ディスペンサは、自動検出システムが備わっていてもよく、挿入された身体部分が、正しい患者の正しい身体部分であったことを確認し、正しい患者の正しい身体部分が挿入されなかった限り、起動を防ぐ。そのようなシステムは、例えば、目認識、指紋認識またはＲＦＩＤタグによる患者認識制御を使用できる、および／または装置は較正データを収集および保持でき（赤外線、超音波またはレーザーを使用して）、挿入された身体部分が、正しい患者の正しい部分であったことを識別し、不当な管理を防ぐ。さらに、それは、患者が正しく行動し、別の物体を装置に挿入することによって処置を避けなかったことを保証できる。そのようなパターン認識装置は、身体の間違った部分の処置を防ぐために設置されてもよい。
【００４３】
装置は、制限された動きの関節炎および他の患者用に使用しやすいことが分かる。彼らは、指、手首等をフープに単に滑り込ませ、痛み止めまたは抗関節炎処置剤の測定された投与量が皮膚を介して投与される。
【００４４】
例では、ノズルおよびセルフシール性スリットの両方の形の開口が記載された。漏れやすいが、フープ５およびチューブ２３の穴の形の開口を使用することも可能である。チューブ２３では、セルフシール性スリットの代わりにノズルを使用でき、同様にフープ５ではノズルの代わりにセルフシール性スリットを使用できる。
【００４５】
装置の適用の例には、関節炎、火傷、静脈性潰瘍、慢性的な傷／感染症、皮膚炎および他の剥脱性疾患の噴霧処置が含まれ、外傷では、患者および病棟スタッフ／訪問者からのＭＲＳＡの根絶の噴霧処置が含まれる。それは、創傷封止および被覆材への噴霧に使用することもできる。特定の使用は、処置中であるまたは緊急避難中の患者へ包帯に一時的噴霧を適用することである。
【００４６】
装置を使用する適用され得る製品の範囲には、殺菌剤／洗浄剤（ヨウ素など）、薬剤（例えば、凝固剤、修復刺激剤、抗生物質、鎮痛薬、抗炎症薬）、保護層（創傷を空気／感染症／擦過傷から保護し、体液の損失および薬剤の損失を防ぐ）、固定具（例えば石膏またはポリマー）が含まれる。
【００４７】
ある実施形態では、それぞれの異なる製品は、コーディングを有してよく、噴霧装置が、適切な投与量でおよび適切な圧力およびジェットの広がりで、製品を適用するようになっている。例として、バーコードが、処置剤を含むカートリッジ３２（図２Ｄまたは３）に適用されてよく、基部３６（図２Ｄまたは３）に取り付けられるデコーダーによって読み取られてよい。プログラム可能なチップ４４リーダーは、デコーダーの出力を取り込み、カートリッジ３２上のコーディングに従って治療レジームを適合させる。
【図１】
0006453886.tif 000002
【図２Ａ】
0006453886.tif 000003
【図２Ｂ】
0006453886.tif 000004
【図２Ｃ】
0006453886.tif 000005
【図２Ｄ】
0006453886.tif 000006
【図３】
0006453886.tif 000007